(57)【要約】本発明は、複数の代謝不全を患者のために刺激によって治療する携帯装置を目的とするものである。この装置は、支持体（１）に収納された電源（１０）を有し、該支持体には導電性のパッド（６）が備えられ、該パッドは支持体（１）に取り付けられた電気刺激体（５）に結合されている。各パッド（６）は、刺激体（５）との関係において、電気接続（８）を介して、少なくとも一つの他のパッド（６）に電気的に結合されており、該接続（８）に特定の治療法が対応している。装置は、少なくとも二つのパッド間の、少なくとも任意の接続（８）を、該パッドを互いに結合している接続（８）の集合から患者が選択する手段（４、１４）を有している。
2006506147.tif 000002
【特許請求の範囲】
【請求項１】
複数の代謝不全を患者のために刺激によって治療する携帯装置であり、この装置は支持体（１）に収納された電源（１０）を有し、該支持体は、支持体（１）に取り付けられた電気刺激体（５）に結合されている導電性のパッド（６）と、患者の体の、治療が適用される個々の箇所へ支持体（１）を維持するための、容易に反転可能な維持機構（３）とを備えているものであって、
各パッド（６）が、刺激体（５）との関係において、電気接続（８）を介して少なくとも一つの他のパッド（６）に電気的に結合されており、該接続（８）に特定の治療法が対応し、装置が、少なくとも二つのパッド間の、少なくとも任意の接続（８）を、該パッドを互いに結合する接続（８）の集合から患者が選択する手段（４、１４）から成ることを特徴とする装置。
【請求項２】
パッド（６）の選択手段（４、１４）が、第一に、少なくとも任意の、パッド（６）の互いの間の電気接続（８）から選択する電子的な選択手段から成り、第二に、支持体（１）にパッド（６）を固定する、少なくとも任意の可動固定手段から成ることにより、それらの取り外しによって、少なくとも任意の他のパッド（６）への接続を切断するようになっていることを特徴とする、請求項１に記載の装置。
【請求項３】
選択手段（４、１４）が電子タイプであり、パッド（６）を互いに関係づける組み合わせ用の第１記憶手段（１４）から成り、患者による第１制御機構（４）の管理下で実施されるように配置されることを特徴とする、請求項１または請求項２に記載の装置。
【請求項４】
刺激体（５）の実施用の配列決定手段（１６）から成ることによって、パッド（６）に送られる電気パルスの周波数を変動させるようになっており、配列決定手段（１６）の実施が、患者による第２制御機構（１１）の管理下に置かれることを特徴とする、請求項１〜請求項３のいずれか一つに記載の装置。
【請求項５】
刺激体（５）の実施が、クロノメーター手段（１８）の管理下に置かれ、該クロノメーター手段が、第３制御機構（２０）との関係において、第３記憶手段（１９）に関連づけられていることで、患者が自分に適用しようとする治療の時間と長さを選択できるようになっていることを特徴とする、請求項１〜請求項４のいずれか一つに記載の装置。
【請求項６】
パッド（６）がわずかに尖っており、患者の体との接触区域に、それぞれ磁化された金属から形成された頭部（７）を有していることを特徴とする、請求項１〜請求項５のいずれか一つに記載の装置。
【請求項７】
電源（１０）が、自立的であって、消費可能な電池、充電可能なバッテリ、およびソーラーセンサを有する任意の電源であることを特徴とする、請求項１〜請求項６のいずれか一つに記載の装置。
【請求項８】
可動固定手段（１３）が、ネジ留め、クリップ留め、磁気手段、再設置可能な粘着物、および吸引手段から成る任意の手段であることを特徴とする、請求項２に記載の装置。
【請求項９】
パッド（６）が、隣接する同形の基礎の四角形の隅に配置され、該基礎の四角形が、これらの隅のうち、パッド（６）のない少なくとも任意の一つを除いて、全体で基本の四角形（Ｃ）を形成するように配置されていることを特徴とする、請求項１〜請求項８のいずれか一つに記載の装置。
【請求項１０】
パッド（６）が、パッド（６）が割り当てられている基礎の四角形の隅のそれぞれについて、基本の四角形（Ｃ）の左上部隅から出て、左から右かつ上から下へと、Ｐ１、Ｐ２、Ｐ３、Ｐ４、Ｐ５、Ｐ６、Ｐ７、Ｐ８という順序において連続的に割り当てられており、パッドＰ２が装置のアースを構成し、接続（８）が、
−第１の組み合わせ：Ｐ６、Ｐ３、Ｐ８、Ｐ５、
−第２の組み合わせ：Ｐ６、Ｐ３、Ｐ７、Ｐ８、
−第３の組み合わせ：Ｐ１、Ｐ３、Ｐ６、Ｐ４、Ｐ８、
−第４の組み合わせ：Ｐ４、Ｐ８、Ｐ６、
−第５の組み合わせ：Ｐ１、Ｐ６、Ｐ８、
−第６の組み合わせ：Ｐ６、Ｐ４、
−第７の組み合わせ：Ｐ４、Ｐ８、
という組み合わせにしたがったパッド（６）の互いの関係から成ることを特徴とする、請求項９に記載の装置。
【発明の詳細な説明】
【技術分野】
【０００１】
本発明は、自立的な電気療法器具の分野のものであり、該器具は、患者の体に電流を流すための接触電極を具備している。本発明は、携帯可能な器具を目的としており、該器具は、個々の治療を目的として、患者の体の特定の部位を刺激することによる、患者の治療手段を具備している。
【背景技術】
【０００２】
刺激による治療機構を具備する電気療法装置は知られているのだが、該装置は、ベルトやリストバンドのような、患者の体に適用されるこれらの治療機構の維持機構に担持されている。このような装置は、独国特許第３２２７５０６号明細書（ＢＬＵＭ  ＫＬＡＵＳ  ＪＵＥＲＧＥＮ  ＤＲ）、米国特許第５８０７２３３号明細書（ＳＡＫＵＮＡ  ＴＥＴＳＵＯ  ＥＴ  ＡＬ）、米国特許第３９２１６２０号明細書（ＮＡＫＡＹＡＭＡ  ＴＡＫＥＯ）および仏国特許第１２１５１１０号明細書（ＴＡＮＡＫＡ  Ｍ  ＳＨＯＩＣＨＩ）に記載されている。それらの全体において、これらの装置は治療手段から成り、該治療手段は、磁気刺激の発生要素によって患者の体に適用される。これらの要素は、たとえば、独国特許第３２２７５０６号明細書（ＢＬＵＭ  ＫＬＡＵＳ  ＪＵＥＲＧＥＮ  ＤＲ）および米国特許第３９２１６２０号明細書（ＮＡＫＡＹＡＭＡ  ＴＡＫＥＯ）に記載されているような永久磁石、磁気繊維、または、米国特許第５８０７２３３号明細書（ＳＡＫＵＮＡ  ＴＥＴＳＵＯ  ＥＴ  ＡＬ）に記載されているような磁気樹脂、あるいはさらに、仏国特許第１２１５１１０号明細書（ＴＡＮＡＫＡ  Ｍ  ＳＨＯＩＣＨＩ）に記載されているような磁気粉末である。
【０００３】
これらの装置は、特定的に代謝不全を治療するために構成されている。したがって、これらの装置は、単一の代謝不全のみに苦しんでいる患者に対し使用が制限され、および／または、同一の患者が、対応する複数の代謝不全を治療するために、複数の装置を携帯することが必要になるという結果になり、このことは、不快であると同時に高くつくものである。
【特許文献１】独国特許第３２２７５０６号明細書
【特許文献２】米国特許第５８０７２３３号明細書
【特許文献３】米国特許第３９２１６２０号明細書
【特許文献４】仏国特許第１２１５１１０号明細書
【発明の開示】
【発明が解決しようとする課題】
【０００４】
本発明の目的は、複数の代謝不全を刺激することによって、同一の患者を治療する携帯装置を提案することである。
【課題を解決するための手段】
【０００５】
本発明によって提案される装置は、支持体に収納された電源を有する装置であり、該支持体は導電性のパッドを備えている。
【０００６】
この支持体は、さらに、患者の体の、治療が適用される個々の箇所へ支持体を維持するための、容易に反転可能な維持機構を備えている。これらのパッドは、支持体に取り付けられた電気刺激体に電気的に結合されている。
【０００７】
本発明によると、かかる装置は主に、各パッドが刺激体との関係において、電気接続を介して少なくとも一つの他のパッドに電気的に結合されていることによって識別できるものとなっており、該接続に特定の治療法が対応している。装置は、少なくとも二つのパッド間の、少なくとも任意の接続を、該パッドを互いに結合している接続の集合から患者が選択する手段を有している。
【０００８】
治療すべき代謝不全に応じて、患者が、選択手段を介して適切な接続を選択することが理解されるものであるが、該接続は、選択された代謝不全を治療するためのパッドを結合しているのである。
【０００９】
さまざまな変形例によると、パッドの選択手段は、第一には、少なくとも任意の、パッド間の電気的な接続を選択する電子的な選択手段から成り、第二に、支持体へのパッドの可動固定手段から成ることにより、それらの取り外しによって少なくとも任意の他のパッドへの接続を切断するようになっている。
【００１０】
可動固定手段は、たとえば、ネジ留め、クリップ留め、磁気手段、再設置可能な粘着物および吸引手段から成る任意の手段である。
【００１１】
選択手段が電子タイプである場合には、該手段は好ましくは、パッドを相互に関係づける組み合わせ用の第１記憶手段を有しており、第１押ボタンまたは第１切替器のような、患者による第１制御機構の管理下で実施されるように配置されている。
【００１２】
さまざまな変形例によると、使用者が、事前に記憶された複数の組み合わせから所与の組み合わせを選択することは、患者が第１押ボタンを連続的に複数回押すこと、あるいは、それぞれの組み合わせに割り当てられた複数の位置における切替器の位置に基づいて行われる。
【００１３】
装置は、好ましくは刺激体の実施の配列決定手段から成ることによって、パッドに送られるパルス周波数を変動させるようになっている。これらの配列決定手段の実施は、患者による第２制御機構の管理下に置かれる。
【００１４】
第１変形例によると、周波数が不連続的に変動する場合には、第２制御機構は押ボタンあるいは切替器であり、該押ボタンあるいは切替器は、所定の周波数用の第２記憶手段に関連づけられていることで、第１制御機構が上記で目的としていた作動に類する作動を行うようになっている。第２変形例によると、周波数が連続的に変動する場合には、第２制御機構は電位差計である。
【００１５】
好ましくは、刺激体の実施はクロノメーター手段の管理下に置かれ、該クロノメーター手段が第３制御機構との関係において、第３記憶手段に関連づけられていることで、患者は自分が適用しようとする治療の時間と長さを選択できるようになっている。
【００１６】
装置はさらに、好ましくは、ダイオードのような、適用されている治療の視覚化手段を具備しており、該手段の実行は刺激体の管理下に置かれる。
【００１７】
パッドの好ましい実施態様によると、該パッドはわずかに尖っており、患者の体との接触区域に、それぞれ、好適および付随的に磁化された金属から形成された頭部を有している。
【００１８】
本発明の装置の変形例によると、電源は好ましくは自立的であり、消費可能な電池、充電可能なバッテリ、およびソーラーセンサを有する任意の電源である。
【００１９】
パッドは好ましくは、隣接する同形の基礎の四角形の隅に配置され、該パッドは、これらの隅のうち、パッドの付いていない少なくとも任意の一つを除いて、全体で基本の四角形を形成するように配置されている。
【００２０】
パッドが割り当てられている基礎の四角形の隅のそれぞれについて、基本の四角形の左上部隅から出て、左から右かつ上から下へと、Ｐ１、Ｐ２、Ｐ３、Ｐ４、Ｐ５、Ｐ６、Ｐ７、Ｐ８という順序における連続的なパッドの好ましい割り当てによると、パッドＰ２は、好ましくは装置のアースを構成し、接続は、
−第１の組み合わせ：Ｐ６、Ｐ３、Ｐ８、Ｐ５、
−第２の組み合わせ：Ｐ６、Ｐ３、Ｐ７、Ｐ８、
−第３の組み合わせ：Ｐ１、Ｐ３、Ｐ６、Ｐ４、Ｐ８、
−第４の組み合わせ：Ｐ４、Ｐ８、Ｐ６、
−第５の組み合わせ：Ｐ１、Ｐ６、Ｐ８、
−第６の組み合わせ：Ｐ６、Ｐ４、
−第７の組み合わせ：Ｐ４、Ｐ８、
という組み合わせにしたがったパッドの互いの関係から成る。
【発明の効果】
【００２１】
各組み合わせに、治療すべき個々の代謝不全が対応することが理解されるだろう。同一のパッドが、有利には複数の不全の治療に加わることができることに注目すべきである。したがって、複数の不全を連続的および／または同時に治療するために、本発明の装置において実施される手段が最適化されるという結果になる。
【００２２】
パッドが、有利には支持体の個々の部位に配分されることで、患者の体の特定の部位と対応関係を持ち、治療用の最適な電気パルスを送るようになっていることに注目すべきである。
【発明を実施するための最良の形態】
【００２３】
本発明は、添付図面との関係において、好ましい実施態様として以下になされる説明によってより良く理解され、その詳細も明らかになるものであるが、該添付図面において、
−図１は、リストバンドに適用された実施例にしたがった、本発明の装置を上から示す概略図であり、
−図２は、図１に示された装置の側面を示す概略図であり、
−図３は、図１および図２に示された装置を下から表す概略図である。
【００２４】
図１および図２において、本発明の装置の支持体１は、二つの環金２、２’を備えていることで、支持体１の固定リストバンド３が患者の手首に回るようになっている。
【００２５】
支持体１の上面は、電気刺激体５を作動するための第１押ボタン４を備えており、該刺激体は、パッド間の電気接続８を介して、６のようなパッドに電気的に結合されている。パッド６は、支持体１の他方の面、つまり下面に位置している。支持体１はまた、第１記憶手段１４も収納しており、該記憶手段は第１押ボタン４と協働することで、いくつかのパッド６によるさまざまな刺激の組み合わせを選択するようになっている。
【００２６】
図２において、これらのパッド６は、それぞれ尖った頭部７を備えていることで、患者の皮膚に対する接触の精度を高めるようになっている。これらの頭部７が、好ましくは特殊金属および磁気金属から形成されていることに注目すべきである。また、パッド６が有利には支持体１に柔軟性をもって取り付けられていることにも注目すべきである。
【００２７】
再び図１に戻ると、支持体１の上面は、配列決定手段１６を実行するための第２押ボタン１１を備えていることで、患者は、第２記憶手段１７によって事前に記憶された、パッド６に送信される電気パルスの周波数の配列決定にしたがって、刺激体５の実施を選択できるようになっている。
【００２８】
この同一の上面には、刺激体５によって送られる電気パルスの周波数の視覚化用ダイオード９が配置されており、該刺激体に該ダイオードは結合されている。
【００２９】
刺激体５の実施はまた、クロノメーター手段１８と、該クロノメーター手段に関連づけられた第３記憶手段１９の管理下に置かれている。支持体１の上面は、第３押ボタン２０を備えていることで、第３記憶手段１９との関係において、クロノメーター手段１８を実行するようになっている。
【００３０】
支持体１は、同様に電源１０も収納していることで、パッド６、および、装置の電子手段に給電するようになっている。
【００３１】
図３において、パッド６は、三本の横線および三本の縦線にしたがって配置されており、該横線および縦線は、基本の四角形Ｃを形成し、該四角形は、隣接する同形の四つの基礎の四角形に分割されているのだが、第１横線はパッドＰ１およびＰ２を具備し、第２横線はパッドＰ３、Ｐ４およびＰ５を具備し、そして第３横線はパッドＰ６、Ｐ７およびＰ８を具備している。
【００３２】
接続８は、以下の組み合わせにしたがってパッド６を互いに結合するのだが、各組み合わせは患者の代謝不全の特定の治療に対応しているものであり、該組み合わせは、
ａ）第１の組み合わせでは、パッドＰ６、Ｐ３、Ｐ８、およびＰ５が互いに結合されることで、患者が肥満の形成に抗することを助けるようになっており、
ｂ）第２の組み合わせでは、パッドＰ６、Ｐ３、Ｐ７、およびＰ８が互いに結合されることで、患者がストレス、不安、および恐怖症を克服することを助けるようになっており、
ｃ）第３の組み合わせでは、パッドＰ１、Ｐ３、Ｐ６、Ｐ４、およびＰ８が互いに結合されることで、患者が不眠を克服することを助けるようになっており、
ｄ）第４の組み合わせでは、パッドＰ４、Ｐ８、およびＰ６が互いに結合されることで、患者が記憶力を高めることを助けるようになっており、
ｅ）第５の組み合わせでは、パッドＰ１、Ｐ６、およびＰ８が互いに結合されることで、患者がたばこ中毒を克服するように助けるようになっており、
ｆ）第６のパッド６の組み合わせでは、パッドＰ６およびＰ４が互いに結合されることで、患者が無力感および脆弱性を克服することを助けるようになっており、
ｇ）第七の組み合わせでは、パッドＰ４およびＰ８が互いに結合されることで、患者が嘔吐感、嘔吐および乗り物酔いを克服するように助けるようになっている。
【図面の簡単な説明】
【００３３】
【図１】リストバンドに適用された実施例にしたがった、本発明の装置を上から示す概略図である
【図２】図１に示された装置の側面を表す概略図である。
【図３】図１および図２に示された装置を下から表す概略図である。
【符号の説明】
【００３４】
１  支持体
２、２’  環金
３  固定リストバンド
４  第１押ボタン
５  電気刺激体
６  パッド
７  頭部
８  電気接続
９  視覚化用ダイオード
１０  電源
１１  第２押ボタン
１４  第１記憶手段
１６  配列決定手段
１７  第２記憶手段
１８  クロノメーター手段
１９  第３記憶手段
２０  第３押ボタン
【図１】
2006506147.tif 000003
【図２】
2006506147.tif 000004
【図３】
2006506147.tif 000005
【国際調査報告】
2006506147.tif 000006
2006506147.tif 000007
2006506147.tif 000008
2006506147.tif 000009
2006506147.tif 000010
2006506147.tif 000011